(57)【要約】【課題】検体を収容する検査用ディスクの温度に依存する判定値を判定する温度判定方法を提供する。【解決手段】温度判定方法は、検体を収容するためのウエル２２と、温度に依存するフォトルミネセンス特性を有する発光部１００とを有する検査用ディスク１を準備することを含む。温度判定方法は、発光部１００に光を照射することで発光部１００がフォトルミネセンスにより発する光を検出して検出結果を得ることも含む。温度判定方法は、検出結果に基づいて、検査用ディスク１の温度に依存する判定値を判定することも含む。【選択図】図５
2019174301.tif 000002
【特許請求の範囲】
【請求項１】
検体を収容するためのウエルと、温度に依存するフォトルミネセンス特性を有する発光部とを有する検査用ディスクを準備すること、
前記発光部に光を照射することで前記発光部がフォトルミネセンスにより発する光を検出して検出結果を得ること、及び
前記検出結果に基づいて、前記検査用ディスクの温度に依存する判定値を判定することを含む、
温度判定方法。
【請求項２】
前記発光部は、第一発光部分と、前記第一発光部分とは異なるフォトルミネセンス特性を有する第二発光部分とを含み、
前記第一発光部分がフォトルミネセンスにより発する光を検出して得た検出結果と、前記第二発光部がフォトルミネセンスにより発する光を検出して得た検出結果とを比較し、この比較した結果に基づいて、前記判定値を判定する、
請求項１に記載の温度判定方法。
【請求項３】
前記第一発光部分と前記第二発光部分とは、前記検査用ディスクの外周に沿った方向に並び、
前記発光部に光を照射するに当たり、前記検査用ディスクへの光の照射位置を前記検査用ディスクの外周に沿った方向に移動させることで、前記第一発光部分と前記第二発光部分とに光を照射する、
請求項２に記載の温度判定方法。
【請求項４】
前記検査用ディスクの厚さ方向に見て、前記発光部の少なくとも一部は、前記ウエルと重複する位置にある、
請求項１から３のいずれか一項に記載の温度判定方法。
【請求項５】
前記検査用ディスクの厚さ方向に見て、前記発光部は、前記ウエルと重複しない位置にある、
請求項１から３のいずれか一項に記載の温度判定方法。
【請求項６】
前記検査用ディスクは、前記ウエルを規定するディスク本体を備え、前記ディスク本体が前記発光部の少なくとも一部を有する、
請求項１から５のいずれか一項に記載の温度判定方法。
【請求項７】
前記検査用ディスクは、前記ウエルを規定するディスク本体と、前記ディスク本体に取り付けられた発光部材とを備え、前記発光部材が前記発光部の少なくとも一部を有する、
請求項１から６のいずれか一項に記載の温度判定方法。
【請求項８】
前記検査用ディスクは、前記ウエルを規定するディスク本体と、前記ウエルを覆うように前記ディスク本体に重なっているプレートと、前記ディスク本体と前記プレートとの間に介在して前記ディスク本体と前記プレートとを接着している接着層とを備え、前記接着層が、前記発光部の少なくとも一部を有する、
請求項１から７のいずれか一項に記載の温度判定方法。
【請求項９】
請求項１から８のいずれか一項に記載の温度判定方法で、前記検査用ディスクの温度に依存する前記判定値を判定すること、
前記ウエルに検体を収容すること、
前記判定値に基づいて検出条件を決定すること、及び
前記検出条件下で、前記ウエル内の前記検体に光を照射することで前記検体から発せられる光を検出し、その結果に基づいて前記検体中の検出対象を検出すること、を含む、
検体の検査方法。
【請求項１０】
前記検出対象を検出することは、前記検体から発せられる光を検出した結果を二値化処理してその結果に基づいて前記検出対象を検出することを含み、
前記検出条件は、二値化処理のためのしきい値を含む、
請求項９に記載の検体の検査方法。
【請求項１１】
検体を収容するためのウエルと温度に依存するフォトルミネセンス特性を有する発光部とを有する検査用ディスクへ光を照射する光源と、
前記光源から前記検査用ディスクへ照射された光に応じて前記検査用ディスクが発する光を検出する光検出器と、
前記検査用ディスクが発する光のうち前記発光部から発せられた光を前記光検出器が検出した結果に基づいて、前記検査用ディスクの温度に依存する判定値を判定する判定部と、を備える、
温度判定システム。
【請求項１２】
請求項１１に記載の温度判定システムと、
前記判定値に基づいて検出条件を決定する決定部と、
前記検出条件下で、前記検査用ディスクが発する光のうち前記検体から発せられた光を前記光検出器が検出した結果に基づいて、前記検体中の検出対象を検出する検出部と、を備える、
検体の検査システム。
【発明の詳細な説明】
【技術分野】
【０００１】
本発明は、温度判定方法、検体の検査方法、温度判定システム、及び検体の検査システムに関する。詳しくは本発明は、検査用ディスクの温度に依存する判定値を判定する温度判定方法、前記温度判定方法を含む検体の検査方法、前記温度判定方法を実現できる温度判定システム、及び前記温度判定システムを含む検体の検査システムに関する。
【背景技術】
【０００２】
特許文献１には、赤血球を含有する生体試料と、核酸を染色できる染色液とを用いて赤血球中の外来生物の有無を検出するように構成された診断キットが開示されている。診断キットは、基材プレートと、基材プレートに設けられた診断プレートとを備える。診断プレートは、染色液を貯留し、染色液に生体試料が注入されるように構成された第一チャンバーと、検査プレートと、検査プレートと第一チャンバーとの間を接続する流路とを、有する。基材プレートには、検査プレートに接続されて生体試料の一部と染色液の一部を捕集することができる第二のチャンバーも設けられている。
【先行技術文献】
【特許文献】
【０００３】
【特許文献１】国際公開第２０１２／１３７５０６号
【発明の概要】
【発明が解決しようとする課題】
【０００４】
生体試料等の検体の検査する場合、検査結果が温度に依存して変化してしまうことがある。例えば検体を染色液等で染色する場合、染色の程度が温度に依存することがある。特に染色液が蛍光染色試薬である場合、すなわち検体中の検出対象を蛍光指標する場合、検出対象を蛍光染色試薬との反応速度は温度に依存するため、温度によって染色の程度が変化してしまう。そのため、温度によっては、検出対象を精度良く検出できないことがある。
【０００５】
本発明の課題は、検体を収容する検査用ディスクの温度に依存する判定値を判定する温度判定方法、この温度判定方法を含む検体の検査方法、この温度判定方法を実現できる温度判定システム、及びこの温度判定システムを含む検体の検査システムを提供することである。
【課題を解決するための手段】
【０００６】
本発明の一態様における温度判定方法は、検体を収容するためのウエルと、温度に依存するフォトルミネセンス特性を有する発光部とを有する検査用ディスクを準備すること、前記発光部に光を照射することで前記発光部がフォトルミネセンスにより発する光を検出して検出結果を得ること、及び前記検出結果に基づいて、前記検査用ディスクの温度に依存する判定値を判定すること、を含む。
【０００７】
本発明の一態様に係る検体の検査方法は、前記温度判定方法で、前記検査用ディスクの温度に依存する前記判定値を判定すること、前記ウエルに検体を収容すること、前記判定値に基づいて検出条件を決定すること、及び前記検出条件下で、前記ウエル内の前記検体に光を照射することで前記検体から発せられる光を検出し、その結果に基づいて前記検体中の検出対象を検出すること、を含む。
【０００８】
本発明の一態様に係る温度判定システムは、検体を収容するためのウエルと温度に依存するフォトルミネセンス特性を有する発光部とを有する検査用ディスクへ光を照射する光源と、前記光源から前記検査用ディスクへ照射された光に応じて前記検査用ディスクが発する光を検出する光検出器と、前記検査用ディスクが発する光のうち前記発光部から発せられた光を前記光検出器が検出した結果に基づいて、前記検査用ディスクの温度に依存する判定値を判定する判定部と、を備える。
【０００９】
本発明の一態様に係る検体の検査システムは、前記温度判定システムと、前記判定値に基づいて検出条件を決定する決定部と、前記検出条件下で、前記検査用ディスクが発する光のうち前記検体から発せられた光を前記光検出器が検出した結果に基づいて、前記検体中の検出対象を検出する検出部と、を備える。
【発明の効果】
【００１０】
本発明の一態様によれば、検体を収容する検査用ディスクの温度に依存する判定値を判定する温度判定方法、この温度判定方法を含む検体の検査方法、この温度判定方法を実現できる温度判定システム、及びこの温度判定システムを含む検体の検査システムを、提供できる。
【図面の簡単な説明】
【００１１】
【図１】図１は、本発明の一実施形態における第一発光部分と第二発光部分のフォトルミネセンス特性の一例を示すグラフである。
【図２】図２は、本発明の一実施形態に係る検査用ディスクの平面図である。
【図３】図３Ａは、同上の検査用ディスクの斜視図である。図３Ｂは、同上の検査用ディスクを上側から見て一部破断した斜視図である。図３Ｃは、同上の検査用ディスクを示し、図３Ｂの要部Ｃの拡大図である。
【図４】図４Ａは、同上の検査用ディスクにおけるディスク本体の上側から見た斜視図である。図４Ｂは、同上の検査用ディスクにおけるディスク本体の下側から見た斜視図である。図４Ｃは、同上の検査用ディスクを示し、図４ＡのＸ１−Ｘ１断面図である。図４Ｄは、同上の検査用ディスクを示し、図４Ｃの要部拡大図である。
【図５】図５Ａは、同上の検査用ディスクにおける発光部の例を示す断面図である。図５Ｂは、同上の検査用ディスクにおける発光部の例を示す断面図である。図４Ｃは、同上の検査用ディスクにおける発光部の例を示す断面図である。図４Ｄは、同上の検査用ディスクにおける発光部の例を示す断面図である。
【図６】図６Ａは、同上の検査用ディスクにおける発光部の例を示す断面図である。図６Ｂは、同上の検査用ディスクにおける発光部の例を示す断面図である。図６Ｃは、同上の検査用ディスクにおける発光部の例を示す断面図である。
【図７】図７は、本発明の一実施形態における温度判定システム及び検体の検査システムの構成図である。
【発明を実施するための形態】
【００１２】
まず、本発明の一実施形態の概要について、説明する。
【００１３】
本実施形態に係る温度判定方法は、次のステップを含む。
【００１４】
検体を収容するためのウエル２２と、温度に依存するフォトルミネセンス特性を有する発光部１００とを有する検査用ディスク１を準備する（図２から図６Ｃ参照）。
【００１５】
発光部１００に光を照射することで発光部１００がフォトルミネセンスにより発する光を検出して検出結果を得る（図７参照）。
【００１６】
検出結果に基づいて、検査用ディスク１の温度に依存する判定値を判定する。
【００１７】
ウエル２２とは、検査用ディスク１内における、検体を収容して保持できる空間である。なお、本実施形態では、検査用ディスク１の温度に依存する判定値を判定することを、温度判定という。すなわち、本実施形態に係る温度判定方法では、検査用ディスク１の温度そのものを判定してもよく、検査用ディスク１の温度に依存する温度以外の判定値を判定してもよい。
【００１８】
本実施形態の温度判定方法によれば、発光部１００は温度に依存するフォトルミネセンス特性を有するため、検査用ディスク１の温度に応じて、発光部１００がフォトルミネセンスによって発する光を光センサなどで検出した場合の検出強度が変動する。例えば発光部１００が、温度の上昇に伴って発する光の強度が上昇するフォトルミネセンス特性を有する場合、検査用ディスク１の温度が高いほど、検出強度が高くなる。このため、発光部１００が発する光の検出結果から、検査用ディスク１の温度に依存する判定値を判定することができる。判定値は、例えば検出強度そのものである。判定値は、検出強度からバックグラウンドノイズを除く処理を行って得た値でもよい。判定値は、検出強度を、あらかじめ特定されている発光部１００の温度と検出強度との関係に基づいて、温度に変換した値であってもよい。判定値は、前記以外の、検出強度から導かれる値であってもよい。
【００１９】
検査用ディスク１における発光部１００は、第一発光部分１０１と、第一発光部分１０１とは異なるフォトルミネセンス特性を有する第二発光部分１０２とを含んでもよい（図５Ａから図６Ｃ参照）。この場合、判定値を判定するに当たり、第一発光部分１０１がフォトルミネセンスにより発する光を検出して得た検出結果と、第二発光部分１０２がフォトルミネセンスにより発する光を検出して得た検出結果とを比較する。この比較した結果に基づいて、判定値を判定してよい。検出強度を比較した結果は、バックグラウンドノイズの影響を受けにくいため、検出強度を比較した結果から判定値を判定すると、判定値を精度良く判定することが可能である。
【００２０】
検出結果を比較するに当たっては、例えば第一発光部分１０１が発する光の検出強度と、第二発光部分１０２が発する光の検出強度との差の値を特定する。第一発光部分１０１と第二発光部分１０２とは、互いに異なるフォトルミネセンス特性を有するため、差の値は、温度に依存する。つまり、第一発光部分１０１と第二発光部分１０２との各々は温度に依存するフォトルミネセンス特性を有し、かつ第一発光部分１０１の温度に依存するフォトルミネッセンス特性と第二発光部分１０２の温度に依存するフォトルミネセンス特性とは互いに異なる。このため、上述した検出強度の差の値もまた、温度に依存する。
【００２１】
図１のグラフに、第一発光部分１０１のフォトルミネセンス特性の例と、第二発光部分１０２のフォトルミネセンス特性の例とを示す。図１の符号Ａが、第一発光部分１０１のフォトルミネセンス特性を示し、図１中の符号Ｂが第二発光部分１０２のフォトルミネセンス特性の例を示す。グラフの縦軸はフォトルミネセンスにより発せられる光の強度であり、横軸は温度である。例えば、図１に示すように、第一発光部分１０１と第二発光部分１０２とは、いずれも温度の上昇に伴ってフォトルミネセンスにより発する光の強度が上昇するフォトルミネセンス特性を有する。さらに、第一発光部分１０１の光の強度の上昇の程度が、第二発光部分１０２の光の強度の上昇の程度よりも大きい。このため、第一発光部分１０１の光の強度と第二発光部分１０２の光の強度との差Ｄは、温度上昇に伴って増大する。この場合、検査用ディスク１の温度が高いほど、第一発光部分１０１の光の検出強度と第二発光部分１０２の光の検出強度との差の値が大きくなる。このため、検出結果を比較した結果から、検査用ディスク１の温度に依存する判定値を判定することができる。判定値は、例えば検出強度の差の値そのものである。判定値は、検出強度を、あらかじめ特定されている発光部１００の温度と検出強度の差との関係に基づいて、温度に変換した値であってもよい。判定値は、前記以外の、検出強度を比較した結果から導かれる値であってもよい。なお、第一発光部分１０１のフォトルミネセンス特性と、第二発光部分１０２のフォトルミネセンス特性とが、前記の説明とは逆であってもよい。
【００２２】
なお、発光部１００は、互いに異なるフォトルミネセンス特性を有する三つ以上の発光部分を含んでもよい。つまり、三つ以上の発光部分の各々が、温度に依存するフォトルミネセンス特性を有し、かつ三つ以上の発光部分それぞれの温度に依存するフォトルミネセンス特性が互いに異なってもよい。この場合、判定値をより精度良く判定することが可能である。例えば、発光部は、第一発光部分、第二発光部分及び第三発光部分を含む。さらに、第一発光部分の光の検出強度と第二発光部分の光の検出強度との差（以下、第一の差という）と、第一発光部分の光の検出強度と第三発光部分の光の検出強度との差（以下、第二の差という）とを比較すると、温度上昇に伴う上昇の程度が、一つの温度域では第一の差の方が大きく、別の温度域では第二の差の方が大きい。このような場合、一つの温度域では第一の差に基づいて判定値を判定し、別の温度域では第二の差に基づいて判定値を判定すれば、広い温度範囲において、精度良く判定値を判定することが可能である。
【００２３】
本実施形態に係る検体の検査方法は、次のステップを含む。
【００２４】
上記の温度判定方法で、検査用ディスク１の温度に依存する判定値を判定する。
【００２５】
ウエル２２に検体を収容する。
【００２６】
判定値に基づいて検出条件を決定する。
【００２７】
決定された検出条件下で、ウエル２２内の検体に光を照射することで検体から発せられる光を検出し、その結果に基づいて検体中の検出対象を検出する。
【００２８】
検出条件とは、例えば検出対象の検出結果に影響を与えうる条件である。
【００２９】
上記のステップの時系列順は、上記の順番でなくてもよい。例えば、ウエル２２に検体を収容してから、判定値を判定し、続いて検出条件を決定し、続いて検出対象を検出してよい。上記のステップが、時系列的に重複して行われてもよい。
【００３０】
本実施形態に係る検体の検査方法では、ウエル２２内の検体に光を照射するための光学系と、温度判定方法において発光部１００に光を照射するための光学系とを、共通化してもよい。すなわち、検査のための光学系を利用して温度判定を行うことができるため、検体の検査に当たって、温度判定のための光学系を追加しなくてもよい。
【００３１】
本実施形態に係る検体の検査方法によれば、検査用ディスク１の温度に応じて検出条件を決定できる。そのため、特に温度が検出対象の検出結果に影響を及ぼす場合に、検出結果への温度による影響を低減し又はなくすように、検出条件を決定できる。すなわち、検査の精度を温度によって悪化しにくくできる。
【００３２】
本実施形態に係る検体の検査方法は、例えば検体を蛍光染色することを更に含む。この場合、ウエル２２内の検体に光を照射することで検体から発せられる光には、蛍光指標された検出対象がフォトルミネセンスにより発する光が含まれる。そのため、検出対象がフォトルミネセンスにより発する光を検出した結果に基づいて、検出対象を検出できる。
【００３３】
検体を蛍光染色する場合、検出対象は蛍光染色試薬と反応することで蛍光指標される。検出対象と蛍光染色試薬との反応の速度は、温度に依存する。そのため、温度によっては、反応が十分に進まずに、蛍光指標された検出対象がフォトルミネセンスにより発する光の強度が弱くなることがある。その場合、検査の精度が悪化することがある。しかし、本実施形態では、温度と蛍光染色の程度との関係をあらかじめ調査しておけば、温度と蛍光染色の程度との関係を利用して、温度判定の結果によって、蛍光染色の程度を把握できる。そのため、蛍光染色の程度に起因する検出対象の検出結果の精度の悪化を、生じにくくできる。
【００３４】
検出対象を検出することは、例えば検体から発せられる光を検出した結果を二値化処理してその結果に基づいて検出対象を検出することを含む。この場合、検出条件は、二値化処理のためのしきい値を含むことが好ましい。特に、検体が蛍光染色されている場合、蛍光指標された検出対象は、フォトルミネセンスによって、検体の中で特に強い光を発する。そのため、二値化処理によって検出対象が発する光を特定し、その結果に基づいて検出対象を特定できる。二値化処理のためのしきい値は、例えば検出対象が発する光の強度よりも低い値に設定される。上記のとおり温度によって蛍光染色の程度が変動し、それによって検出対象が発する光の強度が変動する。しかし、検出条件がしきい値を含めば、検出対象が発する光を特定できるように、判定値に応じてしきい値を設定することで、検出結果の精度の悪化を、生じにくくできる。しきい値を決定するに当たっては、例えば判定値としきい値との関係をあらかじめ決定しておき、この関係に基づいて、温度判定方法によって判定された判定値から、しきい値を決定する。
【００３５】
検出条件は、蛍光染色の時間を含んでもよい。温度が低いために検出対象と蛍光染色試薬との反応速度が遅い場合であっても、蛍光染色の時間を十分に長くとれば、検出対象と蛍光染色試薬との反応を十分に進行させ、蛍光指標された検出対象が発する光の強度を十分に高くできる。そのため、検出条件が蛍光染色の時間を含めば、検出対象が発する光を特定できるように、判定値に応じて蛍光染色の時間を設定することで、検出結果の精度の悪化を、生じにくくできる。蛍光染色の時間を決定するに当たっては、例えば判定値と蛍光染色の時間との関係をあらかじめ決定しておき、この関係に基づいて、温度判定方法によって判定された判定値から、蛍光染色の時間を決定する。なお、蛍光染色の時間とは、検体に蛍光染色試薬が混入された時点から、検体が発する光を検出する時点までの経過時間でもある。そのため、蛍光染色の時間を決定することは、検体が発する光を検出するタイミングを決定することでもある。
【００３６】
検体は、ヒト等の生物から採取された血液などの生体試料でもよく、河川水、工業廃水といった環境から採取される水試料であってもよい。検体は、生体試料及び水試料以外の適宜の試料であってもよい。検体は、例えば液体である。検体は、低粘度化のために希釈液を含んでもよい。希釈液は、例えば、緩衝液、等張液、培養液、及び界面活性剤からなる群から選択される少なくとも一種を含む。
【００３７】
検出対象に、特に制限はない。検体を蛍光染色することで検出対象を蛍光指標する場合、検出対象は、蛍光指標可能な適宜の物であればよい。例えば検体が血液である場合、検出対象は、例えば赤血球に寄生している病原性微生物（例えばマラリアの原虫）又は白血球などである。検体が水試料である場合、検出対象は、例えば水試料中にある有機化合物である。
【００３８】
検体を蛍光染色する場合に使用される蛍光染色試薬は、公知の試薬から検出対象に応じて適宜選択されうる。例えば検出対象が病原性微生物である場合には、蛍光染色試薬の例として、ＳＹＴＯ（登録商標）Ｂｌｕｅが挙げられる。
【００３９】
本実施形態の温度判定方法及び検体の検査方法を実現するための、検査用ディスク１、温度判定システム及び検査システムについて、説明する。
【００４０】
検査用ディスク１について、図２から図６Ｃを参照して説明する。検査用ディスク１は、上述のとおり、検体を収容するためのウエル２２と、温度に依存するフォトルミネセンス特性を有する発光部１００とを有する。
【００４１】
図２から図４Ｄに、検査用ディスク１の一具体例を示す。この検査用ディスク１は、厚さを有する円盤の形状を有するディスク体２と、複数のカートリッジ３と、を備える。以下、単に厚さ方向という場合は、検査用ディスク１の厚さ方向のことをいう。また、外周方向という場合は、検査用ディスク１の外周に沿った方向のことをいう。
【００４２】
ディスク体２は、厚さ方向において互いに反対側にある第一面２Ａ及び第二面２Ｂを有する。ディスク体２は、収容部２１及び収容部２１に通じるウエル２２を有する。
【００４３】
ディスク体２は、厚さ方向に積層するディスク本体４及びプレート５を備える。ディスク本体４及びプレート５は、いずれも厚さ方向に沿った厚さを有する円盤の形状を有する。ディスク本体４及びプレート５は、接着層６を介して接合されている。接着層６は、例えば接着剤からなり、より具体的には例えばアクリレート系の接着剤からなる。プレート５はプレート５の中央を貫通する円形の孔５８を有する。ディスク本体４は、ディスク体２の中央を貫通し、プレート５の孔５８よりも大径の円形の孔４８を有する。この二つの孔４８、５８の形状は、ディスク体２の中心を通る厚さ方向の中心軸１０を中心とする同心円である。
【００４４】
ディスク本体４は、第一面２Ａと同じ方向を向く第一面４２と、第二面２Ｂと同じ方向を向く第二面４１とを有する。なお、ディスク本体４の第一面４２は、ディスク体２の第一面２Ａに一致する。プレート５は、ディスク本体４の第二面４１に、接着層６を介して重なっている。
【００４５】
ディスク本体４は、複数のチャンバー４００を有する。複数のチャンバー４００は、外周方向に並んでいる。すなわち、複数のチャンバー４００は、中心軸１０の周りを取り囲むように配置されている。
【００４６】
各チャンバー４００は、図４Ｂに示すように、第１チャンバー４０１と、第２チャンバー４０２とを有する。第２チャンバー４０２は、第１チャンバー４０１に対して、ディスク本体４の外周側に配置されている。第１チャンバー４０１は、ディスク本体４を厚さ方向に貫通している。第１チャンバー４０１の第二面４１側の開口はプレート５で塞がれ、第一面４２側の開口は塞がれずに開放されている。第２チャンバー４０２は、ディスク本体４の第二面４１で開口する凹所であり、すなわち第一面４２側には開口しない。第２チャンバー４０２の開口はプレート５で塞がれている。チャンバー４００は、第１チャンバー４０１と第２チャンバー４０２との間に、第二面４１に開口するチャネル４０３を有する。チャネル４０３は、第１チャンバー４０１及び第２チャンバー４０２に通じており、このため第１チャンバー４０１と第２チャンバー４０２とは、チャネル４０３を介して、ディスク体２の半径方向に通じている。
【００４７】
ディスク本体４における第１チャンバー４０１の内周面で囲まれた空間が収容部２１である。収容部２１はディスク本体４の第一面４２と第二面４１とで開口し、第二面４１の開口はプレート５で覆われている。また、ディスク本体４における第２チャンバー４０２の内周面で囲まれた空間がウエル２２である。すなわち、ディスク本体４にウエル２２が形成されている。これにより、ディスク本体４がウエル２２を規定する。ウエル２２はディスク本体４の第二面４１で開口し、第１面の開口はプレート５で覆われている。また、チャネル４０３の内面とプレート５とで囲まれた空間が、収容部２１とウエル２２とを通じさせる流路２３である。
【００４８】
複数のカートリッジ３は、複数の第１チャンバー４０１に、それぞれ着脱可能にはめ込まれる。すなわち、カートリッジ３は、収容部２１に着脱可能に取り付けられる。
【００４９】
カートリッジ３は、フィルタ３５を有する。カートリッジ３は、検体を収納可能な収納空間３１も有する。フィルタ３５は、例えばディスク本体４の半径方向において収納空間３１とウエル２２との間にある。カートリッジ３が収容部２１に収容された状態において、収納空間３１、フィルタ３５及びウエル２２が、ディスク本体４の中心側から外周側に向かってこの順に並んでいる。すなわち、ディスク体２の中心側から外周側に向けて、ディスク体２の半径方向に収納空間３１、フィルタ３５及びウエル２２が、この順に並んでいる。フィルタ３５は、第１チャンバー４０１から第２チャンバー４０２へ移動する検体から特定の物質を除去できる。例えばフィルタ３５は、検体がフィルタ３５を通過する際に検体から、検査を阻害する物質（以下、阻害物質という）を捕捉して取り除き、検出対象は捕捉せずに検体に残存させる。例えば検体がヒトの血液であり、検出対象が赤血球に寄生した病原性微生物であり、かつ検体を蛍光染色する場合は、阻害物質は、病原性微生物と同様に蛍光指標されることで検査を阻害する白血球である。フィルタ３５は、例えば繊維材等から構成される多孔質構造体３６を含む。
【００５０】
ウエル２２には、ウエル２２内で検体を蛍光染色するための蛍光染色試薬が配置されうることが好ましい。蛍光染色試薬は、例えば、凍結乾燥法又はスピンコート法などによりウエル２２に配置されるのが好ましい。
【００５１】
ディスク本体４は、第二面４１に形成されたゲート跡４１１と、第一面４２から突出し、厚さ方向に見てゲート跡４１１と重複する突部４２１と、を有する。ゲート跡４１１は、例えばディスク本体４の第二面４１に形成された凹部の底面である。厚さ方向に見て、突部４２１の面積がゲート跡４１１の面積よりも大きいのが好ましい。ゲート跡４１１は、目視での確認ができない場合でも、例えば、偏光顕微鏡による観察により特定することが可能である。突部４２１の先端面の全体は、第一面４２における突部４２１以外の部位と比べて表面粗さの大きな粗面部４３１であるのが好ましい。表面粗さとは、例えばＪＩＳ  Ｂ  ０６０１−２００１（ＩＳＯ  ４２８７−１９９７）で規定されている算術平均粗さＲａである。表面粗さは、例えば、ＡＦＭ（Atomic Force Microscope）等の３次元形状測定装置で測定できる。
【００５２】
プレート５は、円盤の形状を有するプレート本体５０（図３Ｃ参照）を備える。プレート本体５０は、例えば透明な樹脂から作製される。プレート本体５０は、ディスク体２の第一面２Ａと同じ方向を向く第一面５１と、本体の第二面２Ｂと同じ方向を向く第二面５２とを有する。なお、本実施形態では、プレート５の第二面５２は、ディスク体２の第二面２Ｂでもある。第一面５１には、光ディスクと同様に、溝の形状を有するトラックが形成されている。トラックは、プレート本体５０に、中心軸１０を中心とするらせん状に形成されている。トラックには、光を利用して走査されることで読み取り可能なアドレス情報が記録されている。このため、アドレス情報から検査用ディスク１における位置が特定できる。したがって、検査用ディスク１におけるウエル２２と重なる位置にあるトラックのアドレス情報が読み取られることで、検査用ディスク１におけるウエル２２の位置が特定できる。すなわち、光が照射されている位置にウエル２２があることを特定できる。また、検査用ディスク１における発光部１００と重なる位置にあるトラックのアドレス情報が読み取られることで、検査用ディスク１における発光部１００の位置が特定できる。すなわち、光が照射されている位置に発光部１００があることを特定できる。
【００５３】
プレート５は、プレート本体５０の第一面５１にトラックを覆うように重なる誘電体膜５４（図３Ｃ参照）を、更に備えている。誘電体膜５４は、プレート本体５０と接着層６との間に介在している。誘電体膜５４は、例えば、ＺｎＳ−ＳｉＯ2膜である。誘電体膜５４は、ディスク体２の第二面２Ｂ側からディスク体２へ入射する光の一部を反射し、残りを透過させるように構成されている。すなわち、誘電体膜５４とプレート本体５０との界面が、ディスク体２の第二面２Ｂ側からディスク体２へ入射した光を反射する反射面５５を構成する。
【００５４】
上述のとおり、検査用ディスク１は、温度に依存するフォトルミネセンス特性を有する発光部１００を有する。発光部１００は、例えば蛍光物質を含有することで、フォトルミネセンス特性を有する。蛍光物質とは、フォトルミネセンスによって光を発しうる物質である。フォトルミネセンスにより蛍光物質が発する光の波長は、例えば４８０ｎｍ以上６００ｎｍ以下である。
【００５５】
蛍光物質は、例えば希土類イオンで賦活された物質を含む。蛍光物質は、無機系の蛍光物質と有機系の蛍光物質とのうち、少なくとも一方を含むことができる。無機系の蛍光物質は、例えばＢＡＭ系の蛍光物質（例えば、ＢａＭｇＡｌ10Ｏ17:Ｅｕ2+）、ＳＣＡ系の蛍光物質（例えば（Ｓｒ,Ｂａ，Ｃａ）5（ＰＯ4）3Ｃｌ：Ｅｕ2+）、ＳＭＳ系の蛍光物質（Ｓｒ3ＭｇＳｉ2Ｏ8:Ｅｕ2+）、ＹＡＧ系の蛍光物質（例えばＹ3Ａｌ3Ｏ12）、ＣＡＳＮ系蛍光物質（例えばＣａＡｌＳｉＮ3:Ｅｕ）、及びＳＳＥ系蛍光物質（Ｓｒ3ＳｉＯ5：Ｅｕ）からなる群から選択される少なくとも一種の物質を含む。なお、無機系の蛍光物質の組成式は例示であり、元素の組成比が前記の組成式とは異なっていてもよい。無機系の蛍光物質に適宜の添加剤が含まれていてもよい。有機系の蛍光物質は、例えば赤色発光蛍光物質（例えばＥｕ錯体化合物、Ｓｍ錯体化合物、Ｐｒ錯体化合物、ジシアノメチレン系化合物、ベンゾピラン誘導体、ローダミン誘導体、ベンゾチオキサンテン誘導体、及びポリアルキルチオフェン誘導体）、黄色発光蛍光物質（例えばルブレン系化合物及びペリミドン誘導体）、青色発光蛍光物質（例えばペリレン系化合物、ピレン系化合物、アントラセン系化合物、ジスチリル誘導体、ポリジアルキルフルオレン誘導体及びポリパラフェニレン誘導体）、及び緑色発光蛍光物質（例えばクマリン系化合物、Ｔｂ錯体化合物及びキナクリドン化合物）からなる群から選択される少なくとも一種の物質を含む。蛍光物質は、３波長形蛍光ランプ用蛍光物質、特殊ランプ用蛍光物質、冷陰極ランプ用蛍光物質、ＰＤＰ（Plasma Display Panel）用蛍光物質、ＬＥＤ（Light Emitting Diode）用蛍光物質、又は蛍光灯用蛍光物質といった、広く用いられている物質を含んでもよい。蛍光物質は、特に赤色発光蛍光物質であるＥｕ錯体化合物を含むことが好ましい。
【００５６】
発光部１００の位置は、検査用ディスク１における光が照射されうる位置であれば、特に制限はない。
【００５７】
例えば検査用ディスクが上述のとおりウエル２２を規定するディスク本体４を備える場合、このディスク本体４が発光部１００の少なくとも一部を有してもよい。すなわち、ディスク本体４が、発光部１００の一部又は全部を有していてもよい。
【００５８】
検査用ディスク１が上述のとおりウエル２２を規定するディスク本体４を備える場合、検査用ディスク１が、ディスク本体４に取り付けられた発光部材９を更に備え、発光部材９が発光部１００の少なくとも一部を有していてもよい。すなわち、発光部材９の少なくとも一部が、発光部１００の一部又は全部であってよい。
【００５９】
検査用ディスク１が上述のとおりウエル２２を規定するディスク本体４と、ウエル２２を覆うようにディスク本体４に重なっているプレート５と、ディスク本体４とプレート５との間に介在してディスク本体４とプレート５とを接着している接着層６とを備える場合、接着層６が、発光部１００の少なくとも一部を有してもよい。すなわち、接着層６が、発光部１００の一部又は全部を有してもよい。
【００６０】
発光部１００は、ディスク本体４が有する部分と、発光部材９が有する部分と、接着層６が有する部分とのうち、一種のみを含んでもよく、二種以上を含んでもよい。
【００６１】
なお、発光部１００の一部とは、例えば発光部１００が第一発光部分１０１と第二発光部分１０２とを含む場合における、第一発光部分１０１の全部、第一発光部分１０１の一部、第二発光部分１０２の全部又は第二発光部分１０２の一部である。
【００６２】
発光部１００の、より具体的な例について、図５Ａから図６Ｃを参照して説明する。図５Ａから図６Ｃの各々は、検査用ディスク１を、検査用ディスク１の半径方向と直交する面でウエル２２を横切るように切断した面を示す断面図である。図５Ａから図６Ｃの各々に示す例では、発光部１００は、第一発光部分１０１と第二発光部分１０２とを含んでいる。
【００６３】
図５Ａに示す例では、ディスク本体４が蛍光物質を含有し、接着層６がディスク本体４における蛍光物質とは異なる組成の蛍光物質を含有する。ディスク本体４における、厚さ方向に見てウエル２２に重複する部分１４１が、第一発光部分１０１である。ディスク本体４における、第一発光部分１０１に外周方向に隣接する部分であって、ディスク本体４の部分１４２とこれに重なる接着層６の部分１６１との組合せからなる部分が、第二発光部分１０２である。
【００６４】
図５Ｂに示す例では、ディスク本体４が蛍光物質を含有し、接着層６の部分１６２がディスク本体４における蛍光物質とは異なる組成の蛍光物質を含有する。この接着層６の部分１６２は、ウエル２２に、外周方向に隣接する。ディスク本体４における、厚さ方向に見てウエル２２に重複する部分１４１が、第一発光部分１０１である。接着層６の部分１６２とディスク本体４における接着層６の部分１６２に重なる部分１４２との組合せからなる部分が、第二発光部分１０２である。
【００６５】
図５Ａに示す例及び図５Ｂに示す例では、ディスク体２の第二面２Ｂ側から光が照射された場合、第一発光部分１０１がフォトルミネセンスにより発する光は、ディスク本体４の部分１４１が発する光である。また、この場合、第二発光部分１０２がフォトルミネセンスにより発する光は、ディスク本体４の部分１４２が発する光と接着層６の部分１６１、１６２が発する光との組合せである。上述のとおり、ディスク本体４に含まれる蛍光物質の組成と接着層６（図５Ｂに示す例では接着層６の部分１６２）に含まれる蛍光物質の組成とは互いに異なる。そのため、第一発光部分１０１全体における蛍光物質の組成と第二発光部分１０２全体における蛍光物質の組成も互いに異なる。このため、第一発光部分１０１と第二発光部分１０２とは、互いに異なるフォトルミネセンス特性を有する。
【００６６】
図５Ｃに示す例では、図５Ｂに示す例と同様、ディスク本体４が蛍光物質を含有し、接着層６の部分１６２がディスク本体４における蛍光物質とは異なる組成の蛍光物質を含有する。この接着層６の部分１６２は、ウエル２２に、外周方向に隣接する。図５Ｂに示す例と同様、接着層６の部分１６２とディスク本体４における接着層６の部分１６２に重なる部分１４２との組合せからなる部分が、第二発光部分１０２である。ただし、図５Ｃに示す例における第一発光部分１０１は、ディスク本体４の一部１４３であって、第二発光部分１０２に外周方向に隣接し、かつ第二発光部分１０２に対してウエル２２とは反対側にある部分である。第一発光部分１０１は、接着層６における、蛍光物質を含有しない部分に重なっている。
【００６７】
図５Ｃに示す例では、ディスク体２の第二面２Ｂ側から光が照射された場合、第一発光部分１０１がフォトルミネセンスにより発する光は、ディスク本体４の一部１４３が発する光である。また、この場合、第二発光部分１０２がフォトルミネセンスにより発する光は、ディスク本体４の部分１４２が発する光と接着層６の部分１６２が発する光との組合せである。上述のとおり、ディスク本体４に含まれる蛍光物質の組成と接着層６の部分１６２に含まれる蛍光物質の組成とは互いに異なる。そのため、第一発光部分１０１全体における蛍光物質の組成と第二発光部分１０２全体における蛍光物質の組成も互いに異なる。このため、第一発光部分１０１と第二発光部分１０２とは、互いに異なるフォトルミネセンス特性を有する。
【００６８】
図５Ｄに示す例では、ディスク本体４は、蛍光物質を含有する第一部分１１１と、第一部分１１１とは異なる組成の蛍光物質を含有する第二部分１１２とを有する。第一部分１１１と第二部分１１２とは、外周方向に並んで隣接している。第一部分１１１と第二部分１１２との境界は、厚さ方向に見て、ウエル２２を検査用ディスク１の半径方向に横切るように配置されている。第一部分１１１における、厚さ方向に見てウエル２２と重複する部分が第一発光部分１０１である。また、第二部分１１２における、厚さ方向に見てウエル２２と重複する部分が第二発光部分１０２である。すなわち、ディスク本体４が第一発光部分１０１と第二発光部分１０２とを有する。第一発光部分１０１と第二発光部分１０２とは、いずれも厚さ方向に見てウエル２２と重複している。第一発光部分１０１と第二発光部分１０２とは、外周方向に並んで隣接している。
【００６９】
図５Ｄに示す例では、ディスク本体４の第二面２Ｂ側から光が照射された場合、第一発光部分１０１がフォトルミネセンスにより発する光は、ディスク本体４の第一部分１１１の一部が発する光である。また、この場合、第二発光部分１０２がフォトルミネセンスにより発する光は、ディスク本体４の第二部分１１２の一部が発する光である。ディスク本体は、第一部分１１１に蛍光物質を含有し、第二部分１１２に第一部分１１１とは異なる組成の蛍光物質を含有する。このため、第一発光部分１０１と第二発光部分１０２とは、互いに異なるフォトルミネセンス特性を有する。
【００７０】
図５Ｄに示す例では、接着層６は蛍光物質を含有する必要がない。そのため、検査用ディスク１は、接着層６を備えず、例えばディスク本体４とプレート５とが、溶着、プラズマ接合、又は表面活性化接合などの方法で接合されていてもよい。
【００７１】
図６Ａから図６Ｃに示す例では、検査用ディスク１は発光部材９を備える。発光部材９は、蛍光物質を含む。発光部材９は、例えばシートの形状を有する。発光部材９は、例えば蛍光物質を含有し又は蛍光物質が塗布された、樹脂シートである。
【００７２】
図６Ａに示す例では、発光部材９は、ディスク本体４の第一面４２（すなわちディスク体２の第一面２Ａ）に貼り付けられている。発光部材９の一部は、厚さ方向に見て、ウエル２２の一部と重複する位置にある。なお、発光部材９の全部が、厚さ方向に見て、ウエル２２の一部と重複する位置にあってもよい。図６Ａに示す例では、ディスク本体４が蛍光物質を含有し、発光部材９がディスク本体４における蛍光物質とは異なる組成の蛍光物質を含有する。ディスク本体４における、厚さ方向に見てウエル２２に重複し、かつ発光部材９とは重複していない部分１４４が、第一発光部分１０１である。発光部材９における厚さ方向に見てウエル２２に重複する部分９０と、これに重なるディスク本体４の部分１４５との組合せからなる部分が、第二発光部分１０２である。第一発光部分１０１と第二発光部分１０２とは、外周方向に並んで隣接している。
【００７３】
図６Ａに示す例では、ディスク体２の第二面２Ｂ側から光が照射された場合、第一発光部分１０１がフォトルミネセンスにより発する光は、ディスク本体４の部分１４４が発する光である。また、この場合、第二発光部分１０２がフォトルミネセンスにより発する光は、ディスク本体４の部分１４５が発する光と発光部材９の部分９０が発する光との組合せである。上述のとおり、ディスク本体４に含まれる蛍光物質の組成と発光部材９に含まれる蛍光物質の組成とは互いに異なる。そのため、第一発光部分１０１分全体における蛍光物質の組成と第二発光部分１０２全体における蛍光物質の組成も互いに異なる。このため、第一発光部分１０１と第二発光部分１０２とは、互いに異なるフォトルミネセンス特性を有する。
【００７４】
図６Ｂに示す例では、発光部材９は、ディスク本体４のウエル２２の内面における、ディスク体２の第二面２Ｂと同じ方向を向く面に貼り付けられている。発光部材９は、厚さ方向に見て、ウエル２２の一部と重複する位置にある。図６Ｂに示す例では、ディスク本体４が蛍光物質を含有し、発光部材９がディスク本体４における蛍光物質とは異なる組成の蛍光物質を含有する。ディスク本体４における、厚さ方向に見てウエル２２に重複し、かつ発光部材９とは重複していない部分１４６が、第一発光部分１０１である。発光部材９とこれに重なるディスク本体４の部分１４７との組合せからなる部分が、第二発光部分１０２である。第一発光部分１０１と第二発光部分１０２とは、外周方向に並んで隣接している。
【００７５】
図６Ｂに示す例では、ディスク体２の第二面２Ｂ側から光が照射された場合、第一発光部分１０１がフォトルミネセンスにより発する光は、ディスク本体４の部分１４６が発する光である。また、この場合、第二発光部分１０２がフォトルミネセンスにより発する光は、ディスク本体４の部分１４７が発する光と発光部材９が発する光との組合せである。上述のとおり、ディスク本体４に含まれる蛍光物質の組成と発光部材９に含まれる蛍光物質の組成とは互いに異なる。そのため、第一発光部分１０１全体における蛍光物質の組成と第二発光部分１０２全体における蛍光物質の組成も互いに異なる。このため、第一発光部分１０１と第二発光部分１０２とは、互いに異なるフォトルミネセンス特性を有する。
【００７６】
図６Ｃに示す例では、ディスク本体４のウエル２２の内面における、ディスク体２の第二面２Ｂと同じ方向を向く面は、第二面２Ｂの向く方向へ開口する凹所４５を有する。発光部材９は、ディスク本体４のウエル２２の内面における、ディスク体２の第二面２Ｂと同じ方向を向く面に、凹所４５を埋めるように貼り付けられている。このため、ウエル２２の内面には、発光部材９が貼り付けられることによる凹凸は生じにくい。発光部材９は、厚さ方向に見て、ウエル２２の一部と重複する位置にある。図６Ｃに示す例では、ディスク本体４が蛍光物質を含有し、発光部材９がディスク本体４における蛍光物質とは異なる組成の蛍光物質を含有する。ディスク本体４における、厚さ方向に見てウエル２２に重複し、かつ発光部材９とは重複していない部分１４８が、第一発光部分１０１である。発光部材９とこれに重なるディスク本体４の部分１４９との組合せが、第二発光部分１０２である。第一発光部分１０１と第二発光部分１０２とは、外周方向に並んで隣接している。
【００７７】
図６Ｃに示す例では、ディスク体２の第二面２Ｂ側から光が照射された場合、第一発光部分１０１がフォトルミネセンスにより発する光は、ディスク本体４の部分１４８が発する光である。また、この場合、第二発光部分１０２がフォトルミネセンスにより発する光は、ディスク本体４の部分１４９が発する光と発光部材９が発する光との組合せである。上述のとおり、ディスク本体４に含まれる蛍光物質の組成と発光部材９に含まれる蛍光物質の組成とは互いに異なる。そのため、第一発光部分１０１分全体における蛍光物質の組成と第二発光部分１０２全体における蛍光物質の組成も互いに異なる。このため、第一発光部分１０１と第二発光部分１０２とは、互いに異なるフォトルミネセンス特性を有する。
【００７８】
上述のとおり、図５Ａから図６Ｃに示すいずれの例においても、第一発光部分１０１と第二発光部分１０２とは、外周方向に並ぶ。この場合、例えば発光部１００に光を照射するに当たり、検査用ディスク１への光の照射位置を外周方向に移動させることで、第一発光部分１０１と第二発光部分１０２とに光を照射する。このとおり光を照射すると、第一発光部分１０１が発する光と第二発光部分１０２が発する光とを連続的に検出できるため、温度判定のための光の検出を効率良く行える。
【００７９】
また、図５Ａから図５Ｂ、図５Ｄ、並びに図６Ａから図６Ｃに示す例では、いずれも、厚さ方向に見て、発光部１００の少なくとも一部は、ウエル２２と重複する位置にある。具体的には、図５Ａから図５Ｂ、図５Ｄ、並びに図６Ａから図６Ｃに示す例では、発光部１００のうち第一発光部分１０１がウエル２２と重複する位置にある。図５Ｄに示す例では第一発光部分１０１及び第二発光部分１０２、すなわち発光部１００の全部が、ウエル２２と重複する位置にある。この場合、ウエル２２に近接する発光部１００から得られる情報に基づいて温度判定を行うことができるので、ウエル２２内の検体の温度を良好に反映した温度判定を行うことができる。
【００８０】
一方、図５Ｃに示す例では、厚さ方向に見て、発光部１００は、ウエル２２と重複しない位置にある。具体的には、第一発光部分１０１と第二発光部分１０２とは、いずれもウエル２２と重複しない位置にある。そのため、ディスク体２の第二面２Ｂ側から第一発光部分１０１に照射される光、及び第一発光部分１０１から発せられて第二面２Ｂ側へ向かう光は、いずれもウエル２２内の検体を通過しない。ディスク体２の第二面２Ｂ側から第二発光部分１０２に照射される光、及び第二発光部分１０２から発せられて第二面２Ｂ側へ向かう光も、いずれもウエル２２内の検体を通過しない。そのため、温度判定のために発光部１００へ照射する光と、発光部１００から発せられて検出される光のいずれもが、ウエル２２内の検体を通過しないようにできる。このため、検体における光の吸収、反射、発光などの現象が、発光部１００から発せられる光の検出結果に影響しないようにできる。このため、温度判定の精度を高めることができる。なお、検体における光の吸収、反射、発光などの現象が、発光部１００から発せられる光の検出結果に影響せず、又は無視しうる程度しか影響しない場合には、厚さ方向に見て、発光部１００の少なくとも一部が、ウエル２２と重複する位置にあってもよい。
【００８１】
ディスク本体４に蛍光物質を含有させる場合、ディスク本体４における蛍光物質を含有する部分における蛍光物質の分布は、一様であってもよく、一様でなく例えば厚さ方向に濃度勾配があってもよい。また、接着層６に蛍光物質を含有させる場合、接着層６における蛍光物質を含有する部分における蛍光物質の分布も、一様であってもよく、一様でなく例えば厚さ方向に濃度勾配があってもよい。
【００８２】
本実施形態のように検査用ディスク１が複数のウエル２２を備える場合、発光部１００は、複数のウエル２２ごとに設けられていてもよい。すなわち、検査用ディスク１は、複数のウエル２２にそれぞれ対応する複数の発光部１００を有してもよい。この場合、各ウエル２２に対応する発光部１００を利用して、ウエル２２ごとに判定値を判定できる。ウエル２２に収容された検体中の検出対象を検出する場合は、ウエル２２ごとに判定された判定値を利用することで、検査精度を更に向上できる。
【００８３】
温度判定システム及び温度判定システムを備える検体の検査システムについて、図７を参照して説明する。
【００８４】
温度判定システムは、光源７１、光検出器７５及び判定部９１を備える。光源７１は、ウエル２２と発光部１００とを有する検査用ディスク１へ、光を照射する。光検出器７５は、光源７１から検査用ディスク１へ照射された光に応じて検査用ディスク１が発する光を検出する。判定部９１は、検査用ディスク１が発する光のうち発光部１００から発せられた光を光検出器７５が検出した結果に基づいて、検査用ディスク１の温度に依存する判定値を判定する。
【００８５】
検査システムは、上記の温度判定システムと、検出部９２と、決定部９３とを備える。決定部９３は、判定値に基づいて、検出条件を決定する。検出部９２は、検出条件下で、検査用ディスク１が発する光のうち検体から発せられた光を光検出器７５が検出した結果に基づいて、検体中の検出対象を検出する。
【００８６】
温度判定システム及び検体の検査システムの具体的な構成の例を、図７に示す。検査システムは、例えば、光ディスク用の光ピックアップ装置と同様の光学系を備えており、その動作も同様である。検査システムの光学系は、光源７１と、偏光ビームスプリッタ７２と、対物レンズ７３と、ダイクロイックプリズム７４と、光検出器７５と、アナモフィックレンズ７６と、反射光検出器７７と、を備えている。
【００８７】
検査システムは、上述の光学系の他、ホルダ８１と、アクチュエータ８２と、回転装置８３と、第１の信号演算回路８４と、サーボ回路８５と、第２の信号演算回路８６と、制御部８７と、画像表示装置８８と、を備えている。
【００８８】
制御部８７は、温度判定システムにおける判定部９１、並びに検査システムにおける検出部９２及び決定部９３を、兼ねている。制御部８７は、例えば１以上のプロセッサ及びメモリを有するマイクロコンピュータにて構成されている。言い換えれば、制御部８７は、１以上のプロセッサ及びメモリを有するコンピュータシステムにて実現されており、１以上のプロセッサがメモリに格納されているプログラムを実行することにより、コンピュータシステムが制御部８７として機能する。プログラムは、ここでは制御部８７のメモリにあらかじめ記録されているが、インターネット等の通信回線を通じて、又はメモリカード等の非一時的な記録媒体に記録されて提供されてもよい。コンピュータシステムを介して、プログラムをロードし、コンピュータシステムに制御部８７としての機能を実現させるプログラム命令を実行するコンピュータプログラムプロダクトが用いられてもよい。制御部８７は、マイクロコンピュータに限られず、例えばＡＳＩＣ（特定用途向け集積回路）といった、論理回路を含む集積回路でもよい。なお、判定部９１、検出部９２及び決定部９３の各々は、互いに異なるマイクロコンピュータ又は集積回路で構成されていてもよい。
【００８９】
回転装置８３は、モータである。回転装置８３は、サーボ回路８５によって制御される。
【００９０】
検査システムは、回転装置８３により回転するテーブルに検査用ディスク１がセットされた後に、検出のための動作を開始する。
【００９１】
光学系、ホルダ８１及びアクチュエータ８２は、ＣＤ又はＤＶＤ等の光ディスクの記録及び再生に用いる既存の光ピックアップ装置と同様、ハウジングに設置される。また、このハウジングは、所定のガイド機構によって、検査用ディスク１の径方向に移動可能となっている。サーボ回路８５は、ハウジングの移動の制御も行う。この制御は、既存のＣＤプレーヤ又はＤＶＤプレーヤにおける制御と同様のアクセス制御なので、その詳細な説明は省略する。
【００９２】
光源７１は、例えばレーザ光を出射するレーザ光源である。光源７１は、蛍光指標された検出対象及び発光部１００を励起しうる波長の光、例えば波長４０５ｎｍ程度の光を出射する。光源７１から出射した光を、以下、照射光ともいう。図７には、光の進行経路を一点鎖線で示してある。光源７１から出射された照射光は、偏光ビームスプリッタ７２によって反射され、対物レンズ７３に入射する。
【００９３】
対物レンズ７３は、所定の開口数（Numerical Aperture）を有し、照射光を検査用ディスク１に対して適正に収束させるよう構成されている。具体的には、対物レンズ７３は、偏光ビームスプリッタ７２側から入射する照射光が収束するよう構成されている。
【００９４】
対物レンズ７３は、ホルダ８１に保持された状態で、アクチュエータ８２により、フォーカス方向（検査用ディスク１の厚さ方向）とトラッキング方向（検査用ディスク１の径方向）に駆動される。すなわち、対物レンズ７３は、照射光が検査用ディスク１の反射面５５（図３Ｃ参照）に合焦された状態でトラックを追従するように駆動される。反射面５５に合焦された照射光は、一部が反射面５５によって反射され、大部分が反射面５５を透過する。反射面５５によって反射された照射光（以下、反射光ともいう）からは、下記の説明のとおりトラックに記録されているアドレス情報を読み取ることができる。反射面５５を透過した照射光がウエル２２内の検体に到達すると、それに応じて検体から光が発せられる。検体から発せられる光は、検体で反射した光を含み、検体が検出対象を含む場合は蛍光指標された検出対象がフォトルミネセンスにより発する光を含む。以下、この検体から発せられる光を、検査光ともいう。また、反射面５５を透過した照射光が発光部１００に到達すると、発光部１００がフォトルミネセンスにより光を発する。以下、発光部１００が発する光を判定光ともいう。
【００９５】
ダイクロイックプリズム７４は、反射光を反射し、検査光及び判定光を透過させるよう構成されている。例えば、ダイクロイックプリズム７４は、波長４０５ｎｍ程度の光を反射し、波長４４０から６００ｎｍまで程度の光を透過するよう構成されている。
【００９６】
反射光は、偏光ビームスプリッタ７２を透過し、ダイクロイックプリズム７４によって反射され、アナモフィックレンズ７６に入射する。アナモフィックレンズ７６は、偏光ビームスプリッタ７２側から入射する反射光に非点収差を導入する。アナモフィックレンズ７６を透過した反射光は、反射光検出器７７に入射する。反射光検出器７７は、受光面上に反射光を受光するための４分割センサを有している。反射光検出器７７の検出信号は、第２の信号演算回路８６に入力される。
【００９７】
第２の信号演算回路８６は、反射光検出器７７の検出信号から、フォーカスエラー信号及びトラッキングエラー信号を生成し、かつ、ウォブル信号（Wobble Signal）を生成する。フォーカスエラー信号は、対物レンズ７３の焦点位置と検査用ディスク１とのずれ（焦点誤差）を示す信号である。トラッキングエラー信号は、励起光のスポットとトラックとのずれ（トラッキング誤差）を示す信号である。ウォブル信号は、トラックにより規定されるグルーブの蛇行形状に応じた波形信号である。フォーカスエラー信号及びトラッキングエラー信号は、非点収差法と１ビームプッシュプル法に従って生成される。ウォブル信号は、トラッキングエラー信号に基づいて生成される。具体的には、トラッキングエラー信号から、ウォブル信号に応じた周波数成分を抽出することにより、ウォブル信号が生成される。サーボ回路８５は、第２の信号演算回路８６から送られたフォーカスエラー信号及びトラッキングエラー信号を用いて、アクチュエータ８２を制御する。また、サーボ回路８５は、第２の信号演算回路８６から送られたウォブル信号を用いて、所定の線速度で検査用ディスク１が回転されるように回転装置８３を制御する。
【００９８】
また、第２の信号演算回路８６は、ウォブル信号を復調して生成したアドレス情報を出力して制御部８７へ送る。
【００９９】
対物レンズ７３側からダイクロイックプリズム７４に入射する検査光及び判定光は、ダイクロイックプリズム７４を透過し、光検出器７５に入射する。光検出器７５は、受光した検査光及び判定光を電気信号からなる検出信号に変換して出力するセンサを有している。光検出器７５の検出信号は、第１の信号演算回路８４に入力される。
【０１００】
第１の信号演算回路８４は、検出信号を増幅して光の検出強度の情報（以下、強度情報ともいう）を生成し、この強度情報を制御部８７に送る。
【０１０１】
制御部８７は、強度情報とアドレス情報とに基づいて、検査用ディスクの温度に依存する判定値を判定する。また、制御部８７は、強度情報とアドレス情報とに基づいて、検体中の検出対象を検出する。また、制御部８７は、判定値に基づいて、検出条件を決定する。また、制御部８７は、強度情報とアドレス情報とに基づいて、ウエル２２内の検体の画像を生成して画像表示装置８８に表示させる。画像表示装置８８は例えば、ディスプレイにより構成できる。
【０１０２】
検査用ディスク１及び検査システムを用いて温度判定及び検体の検査を行う手順について、説明する。
【０１０３】
まず、検査用ディスク１のカートリッジ３を収容部２１に取り付けた状態で、カートリッジ３の収納空間３１に検体を入れる。なお、カートリッジ３の収納空間３１に検体を入れてからカートリッジ３を収容部２１に取り付けてもよい。検査用ディスク１のウエル２２には、蛍光染色試薬を配置する。
【０１０４】
次に、検査システムにおいて、回転装置８３が検査用ディスク１を、中心軸１０を中心に回転させる。このとき、収納空間３１内の検体は、遠心力によって、流路２３を通じてウエル２２へ送られる。このとき、検体中の阻害物質は、カートリッジ３のフィルタ３５に捕捉され、検体から取り除かれる。そのため、阻害物質が取り除かれた検体が流路２３を通じてウエル２２へ到達する。検出対象はフィルタ３５に捕捉されないため、検体に検出対象が含まれている場合は、検体は検出対象を含んだまま、ウエル２２へ到達する。
【０１０５】
ウエル２２に検体が到達すると、検体には、ウエル２２に配置されている蛍光染色試薬が混入される。これにより、検体が蛍光染色され、検体中に検出対象が含まれている場合は検出対象が蛍光指標される。
【０１０６】
検査用ディスク１を回転させた状態で、光源７１が照射光を発する。照射光は検査用ディスクに第二面２Ｂ側から照射される。検査用ディスク１が回転し、かつアクチュエータ８２が対物レンズ７３を駆動させることで、検査用ディスク１における光の照射位置は、らせん状に移動する。
【０１０７】
照射光が検査用ディスク１の発光部１００へ向けて照射されることで、反射面５３から反射光が発せられ、かつ発光部１００から判定光が発せられると、光検出器７５は、判定光を受光して検出信号を生成し、この検出信号を第１の信号演算回路８４へ送る。第１の信号演算回路８４は、検出信号から強度情報を生成して、この強度情報を制御部８７へ送る。また、反射光検出器７７が反射光を受光して検出信号を生成し、この検出信号を第２の信号演算回路８６へ送る。第２の信号演算回路８６は、検出信号からアドレス情報を生成して、このアドレス情報を制御部８７へ送る。
【０１０８】
制御部８７は、アドレス情報と発光部１００との対応関係を記憶している。制御部８７は、強度情報及びアドレス情報を受け取ると、アドレス情報と発光部１００との対応関係から、強度情報が発光部１００から発せられた判定光の強度情報であるか否かを判定する。制御部８７は、発光部１００から発せられた判定光の強度情報であると判定すると、強度情報に基づいて、温度に依存する判定値を判定する。
【０１０９】
判定値を判定する方法は既に説明したとおりである。すなわち、例えば制御部８７は、強度情報から得られる検出強度そのものを、判定値と判定する。また、例えば制御部８７は、検出強度からバックグラウンドノイズを除く処理を行って得た値を判定値と判定してもよい。また、例えば制御部８７は、発光部１００の温度と検出強度との関係とを記憶し、この関係に基づいて検出強度を変換して得た温度の値を、判定値と判定してもよい。また、例えば制御部８７は、前記以外の適宜の方法で検出強度から導かれる値を、判定値と判定してもよい。
【０１１０】
また、発光部１００が第一発光部分１０１と第二発光部分１０２とを含む場合、例えば制御部８７は、第一発光部分１０１についての検出強度と、第二発光部分１０２についての検出強度とを比較し、この比較した結果に基づいて、判定値を判定する。例えば制御部８７は、第一発光部分１０１が発する光の検出強度と、第二発光部分１０２が発する光の検出強度との差の値を特定する。また、制御部８７は、例えば差の値そのものを、判定値と判定する。制御部８７は、発光部１００の温度と検出強度の差との関係を記憶し、この関係に基づいて、検出強度の差を変換して得た温度の値を、判定値と判定してもよい。また、例えば制御部８７は、前記以外の適宜の方法で検出強度の差から導かれる値を、判定値と判定してもよい。
【０１１１】
検査用ディスク１が複数の発光部１００を有する場合、制御部８７は、発光部１００ごとに判定値を判定してもよい。
【０１１２】
制御部８７は、判定値を判定したら、判定値に基づいて、検出条件を決定する。検出条件を決定する方法は、既に説明したとおりである。すなわち、検出条件がしきい値を含む場合、例えば制御部８７は、判定値としきい値との関係を記憶しており、この関係に基づいて、判定値からしきい値を決定する。また、検出条件が蛍光染色の時間を含んでいる場合は、例えば制御部８７は、判定値と蛍光染色の時間との関係を記憶し、この関係に基づいて、判定値から蛍光染色の時間を決定する。
【０１１３】
制御部８７は、決定された検出条件下で、検査光を光検出器７５が検出した結果に基づいて、例えば次のとおり、検体中の検出対象を検出する。
【０１１４】
照射光がウエル２２へ向けて照射されることで、反射面５３から反射光が発せられ、かつウエル２２内の検体から検査光が発せられると、光検出器７５は、検査光を受光して検出信号を生成し、この検出信号を第１の信号演算回路８４へ送る。第１の信号演算回路８４は、検出信号から強度情報を生成して、この強度情報を制御部８７へ送る。また、反射光検出器７７が反射光を受光して検出信号を生成し、この検出信号を第２の信号演算回路８６へ送る。第２の信号演算回路８６は、検出信号からアドレス情報を生成して、このアドレス情報を制御部８７へ送る。
【０１１５】
制御部８７は、アドレス情報とウエル２２との対応関係を記憶している。制御部８７は、強度情報及びアドレス情報を受け取ると、アドレス情報とウエル２２との対応関係から、強度情報がウエル２２内の検体から発せられた検査光の強度情報であるか否かを判定する。制御部８７は、検体から発せられた検査光の強度情報であると判定すると、強度情報に基づいて、検体中の検出対象を検出する。検査用ディスク１が複数のウエル２２を有する場合、制御部８７は、ウエル２２ごとに、検体中の検出対象を検出する。
【０１１６】
検出対象を検出する方法は既に説明したとおりである。すなわち、例えば制御部８７は、検査光の強度情報を二値化処理してその結果に基づいて検出対象を検出する。例えば制御部８７は、しきい値を超える強度を有する強度情報を、検出対象に由来すると判断することで、検出対象を検出する。制御部８７は、強度情報から、検体の画像を生成し、画像中におけるしきい値を超える検出強度を有する部分を、検出対象として検出してもよい。制御部８７は、検体の画像を画像表示装置８８に表示させてもよい。検体がヒトの血液であり、検出対象が赤血球に寄生している病原性微生物である場合、制御部８７は、検出結果に基づいて感染率を判定してもよい。感染率は、例えば｛［病原性微生物の寄生している赤血球の数］／［赤血球の全数］｝×１００〔％〕と規定される。制御部８７は、更に判定した感染率を画像表示装置８８に表示させてもよい。
【０１１７】
検出条件がしきい値を含む場合、制御部８７は、例えば決定されたしきい値を用いて、上記の説明のとおり検出対象を検出する。また、検出条件が蛍光染色の時間を含む場合、制御部８７は、例えば検体に蛍光染色試料が混入された時点から、決定された蛍光染色の時間が経過した時点（以下、開始点ともいう）で、検体中の検出対象の検出を開始する。検体に蛍光染色試料が混入された時点とは、例えば回転装置８３が検査用ディスクを回転させることを開始した時点、すなわち検体がカートリッジ３を収容部２１から蛍光染色試料が配置されているウエル２２への移動を開始した時点である。例えば制御部８７は、開始点又はそれ以後において光検出器７５が検出した検査光に基づいて、上記の説明のとおり検出対象を検出する。
【０１１８】
検査用ディスク１が複数のウエル２２と、各ウエル２２に対応する発光部１００とを有する場合、制御部８７は、ウエル２２ごとに検出条件を決定し、ウエル２２ごとに検出条件下で検出対象を検出してもよい。
【０１１９】
また、検査用ディスク１の温度は、照射光の照射を受けることで上昇することがある。このため、この温度上昇を考慮して温度判定及び検出条件の決定を行うことが好ましい。
【０１２０】
上記の実施形態は、本発明の様々な実施形態の一つにすぎない。上記の実施形態は、本発明の目的を達成できれば、設計等に応じて種々の変更が可能である。
【０１２１】
例えば、検体が阻害物質を含まない場合、検査用ディスクはフィルタ３５を備えなくてもよい。
【０１２２】
また、ディスク体２では、複数の収容部２１が、２以上の整数ｎを用いた場合に中心軸１０を中心としてｎ回回転対称性を有するように配置されているのが好ましい。同様に、ディスク体２では、複数のウエル２２が、２以上の整数ｎを用いた場合に中心軸１０を中心としてｎ回回転対称性を有するように配置されているのが好ましい。
【０１２３】
上述の実施形態から明らかなように、第１の態様に係る温度判定方法は、検体を収容するためのウエル（２２）と、温度に依存するフォトルミネセンス特性を有する発光部（１００）とを有する検査用ディスク１を準備すること、発光部（１００）に光を照射することで発光部（１００）がフォトルミネセンスにより発する光を検出して検出結果を得ること、及び検出結果に基づいて、検査用ディスク（１）の温度に依存する判定値を判定することを含む。
【０１２４】
第２の態様に係る温度判定方法は、第１の態様において、発光部（１００）は、第一発光部分（１０１）と、第一発光部分（１０１）とは異なるフォトルミネセンス特性を有する第二発光部分（１０２）とを含み、第一発光部分（１０１）がフォトルミネセンスにより発する光を検出して得た検出結果と、第二発光部分（１０２）がフォトルミネセンスにより発する光を検出して得た検出結果とを比較し、この比較した結果に基づいて、判定値を判定する。
【０１２５】
第３の態様に係る温度判定方法は、第２の態様において、第一発光部分（１０１）と第二発光部分（１０２）とは、検査用ディスク１の外周に沿った方向に並び、発光部（１００）に光を照射するに当たり、検査用ディスク（１）への光の照射位置を検査用ディスク（１）の外周に沿った方向に移動させることで、第一発光部分（１０１）と第二発光部分（１０２）とに光を照射する。
【０１２６】
第４の態様に係る温度判定方法は、第１から第３のいずれか一の態様において、検査用ディスク（１）の厚さ方向に見て、発光部（１００）の少なくとも一部は、ウエル（２２）と重複する位置にある。
【０１２７】
第５の態様に係る温度判定方法は、第１から第３のいずれか一の態様において、検査用ディスク（１）の厚さ方向に見て、発光部（１００）は、ウエル（２２）と重複しない位置にある。
【０１２８】
第６の態様に係る温度判定方法は、第１から第５のいずれか一の態様において、検査用ディスク（１）は、ウエル（２２）を規定するディスク本体（４）を備え、ディスク本体（４）が発光部（１００）の少なくとも一部を有する。
【０１２９】
第７の態様に係る温度判定方法は、第１から第６のいずれか一の態様において、検査用ディスク（１）は、ウエル（２２）を規定するディスク本体（４）と、ディスク本体（４）に取り付けられた発光部材（９）とを備え、発光部材（９）が発光部（１００）の少なくとも一部を有する。
【０１３０】
第８の態様に係る温度判定方法は、第１から第７のいずれか一の態様において、検査用ディスク（１）は、ウエル（２２）を規定するディスク本体（４）と、ウエル（２２）を覆うようにディスク本体（４）に重なっているプレート（５）と、ディスク本体（４）とプレート（５）との間に介在してディスク本体（４）とプレート（５）とを接着している接着層（６）とを備え、接着層（６）が、発光部（１００）の少なくとも一部を有する。
【０１３１】
第９の態様に係る検体の検査方法は、第１から第８のいずれか一の態様に係る温度判定方法で、検査用ディスク（１）の温度に依存する判定値を判定すること、ウエル（２２）に検体を収容すること、判定値に基づいて検出条件を決定すること、及び検出条件下で、ウエル（２２）内の検体に光を照射することで検体から発せられる光を検出し、その結果に基づいて検体中の検出対象を検出すること、を含む。
【０１３２】
第１０の態様に係る検体の検査方法は、第９の態様において、検出対象を検出することは、検体から発せられる光を検出した結果を二値化処理してその結果に基づいて検出対象を検出することを含み、検出条件は、二値化処理のためのしきい値を含む。
【０１３３】
第１１の態様に係る温度判定システムは、検体を収容するためのウエル（２２）と温度に依存するフォトルミネセンス特性を有する発光部（１００）とを有する検査用ディスク（１）へ光を照射する光源（７１）と、光源（７１）から検査用ディスク（１）へ照射された光に応じて検査用ディスク（１）が発する光を検出する光検出器（７５）と、検査用ディスク（１）が発する光のうち発光部（１００）から発せられた光を光検出器（７５）が検出した結果に基づいて、検査用ディスク（１）の温度に依存する判定値を判定する判定部（９１）と、を備える。
【０１３４】
第１２の態様に係る検体の検査システムは、第１１の態様に係る温度判定システムと、判定値に基づいて検出条件を決定する決定部（９２）と、検出条件下で、検査用ディスク（１）が発する光のうち検体から発せられた光を光検出器（７５）が検出した結果に基づいて、検体中の検出対象を検出する検出部（９３）と、を備える。
【符号の説明】
【０１３５】
１      検査用ディスク
１００  発光部
１０１  第一発光部分
１０２  第二発光部分
２２    ウエル
４      ディスク本体
５      プレート
６      接着層
７１    光源
７５    光検出器
９１    判定部
９２    決定部
９３    検出部
【図１】
2019174301.tif 000003
【図２】
2019174301.tif 000004
【図３】
2019174301.tif 000005
【図４】
2019174301.tif 000006
【図５】
2019174301.tif 000007
【図６】
2019174301.tif 000008
【図７】
2019174301.tif 000009